(57)【要約】      （修正有）【課題】十分な気密性及び遮光性を持つ易破断シート及びその易破断シートを用いた液体用容器を提供すること。合わせて、考案の実装の形態により、化粧品の封入により適した易破断の液体用容器を提供すること。【解決手段】中央部に厚みが２０ミクロン以下のアルミニウム層を有し、アルミニウム層の内側の樹脂層の最内のものを、リニアポリエチレン等の低臭かつ無毒の材質とし、その内側に切り込みを設ける。また、アルミニウム層の外側の樹脂層には、その外側に切り込みを設ける。【選択図】図２
0003183782.tif 000002
【実用新案登録請求の範囲】
【請求項１】
アルミニウム層と、
前記アルミニウム層の外側の第一の樹脂層と、
前記アルミニウム層の内側の第二の樹脂層とを備え、
前記アルミニウム層はその厚みが２０ミクロン以下であり、
前記第一の樹脂層はその外側に直線状の第一の切り込みを有し、
前記第二の樹脂層はその内側に直線状の第二の切り込みを有し、
前記第一の切り込みと前記第二の切り込みとが前記アルミニウム層を挟んで略対向する位置にあることを特徴とする、易破断シート。
【請求項２】
前記第一の樹脂層及び前記第二の樹脂層が、ポリスチレン製であり、その厚みが１５０ミクロン〜２５０ミクロンであることを特徴とする、請求項１に記載の易破断シート。
【請求項３】
前記第二の樹脂層の内側に第三の樹脂層を備え、
前記第三の樹脂層は、低臭かつ無毒のものであり、前記第二の樹脂層と同位置に直線状の第三の切り込みを有することを特徴とする、請求項１又は２に記載の易破断シート。
【請求項４】
前記第三の樹脂層は、リニアポリエチレン製であることを特徴とする、請求項３に記載の易破断シート。
【請求項５】
折り曲げても破断しない容器の開口面を請求項１〜４のいずれか１項に記載の易破断シートで被覆したことを特徴とする、液体用容器。
【考案の詳細な説明】
【技術分野】
【０００１】
本考案は、折り曲げにより容易に破断する易破断シート及びその易破断シートを用いた液体用容器に関するものである。
【背景技術】
【０００２】
小量の液体を小型の容器に封入し、その容器を折り曲げることで、容器の一部が破断して液体を流出させる液体用容器が知られている。例えば、特許文献１に開示されたものである。
【０００３】
しかし特許文献１開示された液体用容器には、以下の問題があった。容器の一部を破断させるために、破断させる箇所に切り込みを入れた易破断シートを用いる。このため、切り込み箇所の気密性及び遮光性が十分でない。易破断シートの材料としては、通気性を持ったポリスチレンが用いられることが多く、この場合には特に気密性を保つことが困難である。
【０００４】
封入される液体によっては、気密性及び遮光性を問題としない場合も考えられる。しかし、封入される液体が化粧品である場合には、空気に触れて酸化すること及び光を受けて劣化することは問題となる。
【先行技術文献】
【特許文献】
【０００５】
【特許文献１】国際公開ＷＯ２００８−０３８０７４号公報
【考案の概要】
【考案が解決しようとする課題】
【０００６】
解決しようとする課題は、十分な気密性及び遮光性を持つ易破断シート及びその易破断シートを用いた液体用容器を提供することである。合わせて、考案の実装の形態により、化粧品の封入により適した易破断の液体用容器を提供することである。
【課題を解決するための手段】
【０００７】
本考案の易破断シートは、
アルミニウム層と、
前記アルミニウム層の外側の第一の樹脂層と、
前記アルミニウム層の内側の第二の樹脂層とを備え、
前記アルミニウム層はその厚みが２０ミクロン以下であり、
前記第一の樹脂層はその外側に直線状の第一の切り込みを有し、
前記第二の樹脂層はその内側に直線状の第二の切り込みを有し、
前記第一の切り込みと前記第二の切り込みとが前記アルミニウム層を挟んで略対向する位置にあることを特徴とする。
【０００８】
アルミニウム層によって気密性及び遮光性を実現する。気密性及び遮光性を保ち、かつ易破断性を有するためには、アルミニウム層の厚みが２０ミクロン以下であること、好ましくは５ミクロン〜１０ミクロンであることが必要である。
アルミニウム層の両側の樹脂層の切り込みは、その箇所を易破断性とするものである。
【０００９】
本考案の易破断シートは、
前記第一の樹脂層及び前記第二の樹脂層が、ポリスチレン製であり、その厚みが１５０ミクロン〜２５０ミクロンであることを特徴とする。
【００１０】
易破断シートとしては、ポリスチレン製のものが多かった。硬度、強度が易破断シートに適しているためである。一方、気密性及び遮光性は不十分である。アルミニウム層を入れることにより気密性及び遮光性が確保されるので、他の層をポリスチレン製として易破断シート全体としての硬度、強度を好ましいものとする。
【００１１】
本考案の易破断シートは、
前記第二の樹脂層の内側に第三の樹脂層を備え、
前記第三の樹脂層は、低臭かつ無毒のものであり、前記第二の樹脂層と同位置に直線状の第三の切り込みを有することを特徴とする。
【００１２】
封入される液体が化粧品である場合、ポリスチレンは臭気を発するので、化粧品に接触させないことが好ましい。化粧品に接する部分に第三の樹脂層として低臭かつ無毒のものを用いる。
【００１３】
本考案の易破断シートは、
前記第三の樹脂層は、リニアポリエチレン製であることを特徴とする。
【００１４】
リニアポリエチレンは、低臭かつ無毒であり、易破断シートの硬度、強度を保つ効果もある。
【００１５】
本考案の液体用容器は、
折り曲げても破断しない容器の開口面を上記の易破断シートで被覆したことを特徴とする。
【００１６】
上記の易破断シートを活用した液体用容器である。
【考案の効果】
【００１７】
十分な気密性及び遮光性を持つ易破断シート及びその易破断シートを用いた液体用容器が提供される。合わせて、考案の実装の形態により、低臭、無毒の化粧品の封入により適した易破断の液体用容器が提供される。
【図面の簡単な説明】
【００１８】
【図１】図１は、液体用容器を示す図である。
【図２】図２は、易破断シートを示す断面図である。
【図３】図３は、切り込みの詳細を示す断面図である。
【考案を実施するための形態】
【００１９】
図１は、液体用容器を示す図である。液体用容器１は、容器本体２の開口面を易破断シート３で被覆したものである。容器本体２の中の液体が易破断シート３によって封入されている。
易破断シート３には、切り込み４が設けられている。容器本体２は低密度ポリエチレン製であり、柔軟である。容器本体２を折り曲げることにより、易破断シート３が切り込み４において破断し、封入された液体が流出する。
この液体用容器は、例えば化粧品の試供品提供に用いることができる。
なお、液体用容器１の形状は図に示したものに限定されない。各種の形状を設計することができる。
【００２０】
図２は、易破断シートを示す断面図である。図１におけるＡ線の断面図である。なお、図において、理解を容易にするため各部を実寸とは異なる比率で描いてある。
易破断シート３は、外側から順に、第一の樹脂層７、アルミニウム層６、第二の樹脂層８、第三の樹脂層９が重畳されたものである。アルミニウム層６の厚みは９ミクロンである。第一の樹脂層７及び第二の樹脂層８はポリスチレン製であり、厚みは２００ミクロンである。第三の樹脂層９はリニアポリエチレン製であり、厚みは４０ミクロンである。
第一の樹脂層７には切り込み４が、第二の樹脂層８には別の切り込み５が設けられている。いずれの切り込みもアルミニウム層６には到達していない。アルミニウム層６はほぼ均一に９ミクロンの厚みを有し、十分な気密性及び遮光性を持つ。また、容器本体２を折り曲げることにより破断される程度に薄い。
なお、第三の樹脂層９は封入する液体の臭い、毒性が問題でない場合には、必ずしも設けなくてよい。
【００２１】
図３は、切り込みの詳細を示す断面図である。図１におけるＢ線の断面図である。なお、図において、理解を容易にするため各部を実寸とは異なる比率で描いてある。図は、第一の樹脂層７の切り込み４について示しているが、第二の樹脂層８の切り込み５についても同様である。
切り込みの深さが一様であると、最初に破断する箇所が確定しない。そこで、切り込み４をミシン目状とし、中央の切り込み４ａを最も深く、４ｂ、４ｃと周辺にいくに従って浅くすることが好ましい。中央の切り込み４ａが最初に破断するようにするためである。
【産業上の利用可能性】
【００２２】
十分な気密性及び遮光性をもつ易破断シート及びその易破断シートを用いた液体用容器であり、低臭、無毒の化粧品の封入に適したものとできるので、多くの化粧品生産者による利用が考えられる。
【符号の説明】
【００２３】
１    液体用容器
２    容器本体
３    易破断シート
４    切り込み
５    切り込み
６    アルミニウム層
７    第一の樹脂層
８    第二の樹脂層
９    第三の樹脂層
【図１】
0003183782.tif 000003
【図２】
0003183782.tif 000004
【図３】
0003183782.tif 000005